【手続補正書】
【提出日】平成17年8月25日(2005.8.25)
【手続補正１】
【補正対象書類名】明細書
【補正対象項目名】０００３
【補正方法】削除
【補正の内容】
【手続補正２】
【補正対象書類名】明細書
【補正対象項目名】０００４
【補正方法】削除
【補正の内容】
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
関係試験機関による型式試験に合格した登録プログラムを格納しているデータベースと、多数の遊技機と接続されている検査装置と、を通信回線を介して接続し、当該データベースからの検査命令に従って検査装置が、検査対象とする遊技機を選択し、その遊技機のＲＯＭプログラムとデータベースから伝送された登録プログラムとの照合検査を行うことで遊技機のＲＯＭに記憶させてあるプログラムの適正検査を行うようにしたものがある（特許文献１参照。）。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
遊技機を交換する時などは、遊技店の管理者等が新たにＲＯＭ情報を検査装置毎に入力していく必要があるため、管理工数が多くなって、管理コストも高いものとなってしまう。また、複数の遊技機に対して１つの検査装置を設けると、検査装置に対して近い遊技機では、検査装置と遊技機との間に配される配線が短いことからノイズ等の影響を受け難いが、検査装置に対して遠い遊技機では、検査装置と遊技機との間に配される配線が長くなることからノイズの影響を受け易く、遊技機のＲＯＭを検査するときの検査の信頼性に欠くという問題点がある。
【手続補正７】
【補正対象書類名】明細書
【補正対象項目名】００１１
【補正方法】変更
【補正の内容】
【００１１】
さらに、特許文献１の技術では、ＲＯＭプログラムと登録プログラムとの照合のみでは、時差出力でデータを出力するように巧妙に改変されたＲＯＭに対しては適正な試験、検査ができないという問題点があった。
【手続補正８】
【補正対象書類名】明細書
【補正対象項目名】００２８
【補正方法】変更
【補正の内容】
【００２８】
さらに、ＲＯＭの製造番号およびＲＯＭに記憶されたプログラムデータをそれぞれ比較するようにしたので、より精度の高いＲＯＭ情報の検査をすることができる。比較すべきＲＯＭ情報には、ＲＯＭの製造番号、ＲＯＭのプログラムデータの他にＲＯＭのＩＤを含むようにしてもよい。  
さらに、検査対象となるものは、ＲＯＭなどの半導体メモリの他に、ＣＣＤメモリ、遅延線メモリ、ブラウン管メモリ、コアメモリ、ワイヤメモリ、磁気バルブメモリなどの、電源を遮断しても記憶情報を失わない不揮発性の記憶媒体が含まれる。
【手続補正９】
【補正対象書類名】明細書
【補正対象項目名】００２９
【補正方法】変更
【補正の内容】
【００２９】
【発明の実施の形態】
次に、各図に基づいて本発明の実施の形態を説明する。  
図１〜図６は、本発明の一実施の形態を示している。  
図１は本発明の一実施の形態に係る検査装置のシステムブロック図、図２は検査用端末機のブロック図、図３は管理機のブロック図である。図６は他の検査装置のブロック図である。
【手続補正１０】
【補正対象書類名】明細書
【補正対象項目名】００３７
【補正方法】変更
【補正の内容】
【００３７】
検査用端末機２０は、比較した結果が合格の場合に、ＲＯＭの製造番号、ＩＤを、検査用端末機２０の情報（装置番号）、遊技機１０の情報（台番号）及び合格情報と共に通信インターフェイス２９から管理機４０へ送信し、管理機情報記憶手段２２、２３は、一致した情報以外の不必要な情報を消去する。また、遊技機情報記憶手段２４に記憶された情報は、すべて消去される。
【手続補正１１】
【補正対象書類名】明細書
【補正対象項目名】００３８
【補正方法】変更
【補正の内容】
【００３８】
具体的には、次のようなＲＯＭ情報の検査結果（比較結果）が通信インターフェイス２９から管理機４０へ送信される。検査結果としては、検査用端末機２０の装置番号「１号機」、遊技機１０の台番号「１」、ＲＯＭの製造番号「００００００８」、ＲＯＭのＩＤ「ＡＣＥ００００１」、「合格」であり、また、検査用端末機２０の装置番号「２号機」、遊技機１０の台番号「２」、ＲＯＭの製造番号「００００００１」、ＲＯＭのＩＤ「ＡＣＥ００００２」、「合格」であり、さらに、検査用端末機２０の装置番号「ｎ号機」、遊技機１０の台番号「ｎ」、…〜…、「合格」である。前記検査結果が管理機４０へ送信され、比較結果記憶手段であるメモリ４４に記憶される。
【手続補正１２】
【補正対象書類名】明細書
【補正対象項目名】００４２
【補正方法】変更
【補正の内容】
【００４２】
メモリ４２には正規なＲＯＭのプログラムデータが記憶され、メモリ４３には正規なＲＯＭの製造番号、ＩＤが記憶される。ＣＰＵ４１は、検査用端末機２０に対して検査命令を通信インターフェイス４９を介し送信する。ＣＰＵ４１は、メモリ４２、４３から正規なＲＯＭのプログラムデータ、製造番号、ＩＤを通信インターフェイス４９を介し各検査用端末機２０に送信する。
【手続補正１３】
【補正対象書類名】明細書
【補正対象項目名】００４３
【補正方法】変更
【補正の内容】
【００４３】
管理機４０は、検査用端末機２０によるＲＯＭ情報の検査が終わると、その一定時間後に、各検査用端末機２０に対して比較結果請求信号を送り、メモリ４４には、各検査用端末機２０から送られた比較結果が検査用端末機２０ごとに記憶される。
【手続補正１４】
【補正対象書類名】明細書
【補正対象項目名】００４５
【補正方法】変更
【補正の内容】
【００４５】
メモリ４４は、２回目以降にＲＯＭ情報を比較するために使用される。２回目以降にＲＯＭ情報を比較する場合に、例えば、１号機の検査用端末機２０に対し、検査用端末機２０の装置番号「１号機」、遊技機１０の台番号「１」、ＲＯＭの製造番号「００００００８」、ＲＯＭのＩＤ「ＡＣＥ００００１」のように送信し、次に、２号機の検査用端末機２０に対し、検査用端末機２０の装置番号「２号機」、遊技機１０の台番号「２」、ＲＯＭの製造番号「００００００１」、ＲＯＭのＩＤ「ＡＣＥ００００２」のように送信する。このように、１号機〜ｎ号機の検査用端末機２０の順に、装置番号、台番号、ＲＯＭ情報をそれぞれ送信してから、１号機〜ｎ号機の検査用端末機２０の順に、ＲＯＭのプログラムデータを送信する。
【手続補正１５】
【補正対象書類名】明細書
【補正対象項目名】００５３
【補正方法】変更
【補正の内容】
【００５３】
図５は管理機の動作の流れを表すフロー図である。図５に示すように、初期検査においては、ＲＯＭ情報であるプログラムデータがプログラム入力手段４５に入力されると（ステップＳ５０１：Ｙ）、メモリ４２に保持される（ステップＳ５０２）。また、ＲＯＭ情報であるＲＯＭの製造番号、ＩＤがデータ入力手段４６に入力されると（ステップＳ５０３：Ｙ）、メモリ４３に保持される（ステップＳ５０４）。
【手続補正１６】
【補正対象書類名】明細書
【補正対象項目名】００５４
【補正方法】変更
【補正の内容】
【００５４】
初期検査を実行する際は、まず、管理機４０が各検査用端末機２０に対し検査命令をし（ステップＳ５０５）、各検査用端末機２０を待機させ、すべての検査用端末機２０が準備完了すると（ステップＳ５０６：Ｙ）、メモリ４２、４３内のＲＯＭ情報をすべての検査用端末機２０に送信し（ステップＳ５０７）、すべての検査用端末機２０から受信の完了が管理機４０に送信されると（ステップＳ５０８：Ｙ）、管理機４０は、検査開始命令をすべての検査用端末機２０に対して送信する（ステップＳ５０９）。
【手続補正１７】
【補正対象書類名】明細書
【補正対象項目名】００５５
【補正方法】変更
【補正の内容】
【００５５】
次に、比較結果の要求信号をすべての検査用端末機２０に送信し（ステップＳ５１０）、すべての検査用端末機２０からの比較結果を受信し（ステップＳ５１１）、比較結果の製造番号、ＩＤに同一番号があるか否かを検査し（ステップＳ５１２）、各検査用端末機２０毎に比較結果をメモリ４４に記憶し（ステップＳ５１３）、各検査用端末機２０毎の比較結果を比較結果出力手段４７から出力する（ステップＳ５１４）。
【手続補正１８】
【補正対象書類名】明細書
【補正対象項目名】００５６
【補正方法】変更
【補正の内容】
【００５６】
２回目以降にＲＯＭ情報の検査を行う場合には、外部から入力されたＲＯＭ情報が既にメモリ４２、４３、４４に保持されているから、ステップＳ５０５から開始し、管理機４０が各検査用端末機２０に対し検査命令をする。
図６は本発明に係る他の検査装置のブロック図であり、管理機と検査用端末機との構成を一体に組み合わせて成る。図６に示すように、正規のプログラムデータであるＲＯＭ情報がプログラム入力手段２に入力され、検査装置１を制御するための制御用マイクロコンピュータであるＣＰＵ３を介して、メモリ５に保存される。一方、プログラムデータ以外のＲＯＭ情報が、データ入力手段４に入力され、前記検査装置１を制御するＣＰＵ３を介してメモリ６に保存される。ＲＯＭ情報とは、遊技機製造者が開発し第三者機関が試験、検査し合格したＲＯＭと同一プログラムであって、制御用プログラム及び遊技機製造者のＩＤを含む。
遊技機９の制御基板９ａに実装されＲＯＭ９ｂの内部情報を出力させるために、ＣＰＵ３によって、通信インターフェイス３ａと制御基板９ａの通信インターフェイス９ｃを介して、制御基板９ａに実装されたＲＯＭ９ｂにアクセスし、ＲＯＭ情報を通信インターフェイス９ｃと、通信インターフェイス３ａとＣＰＵ３を介してメモリ７に格納する。
メモリ６に保存されたＲＯＭ情報とメモリ７に保存されたＲＯＭ情報とを比較し、比較した結果が異なる場合に、ＣＰＵ３が比較結果出力手段３ｂに比較結果を出力する。比較結果出力手段３ｂは、比較結果を基に外部に報知を行うと共に、遊技機９への電源供給を遮断する。
【手続補正１９】
【補正対象書類名】明細書
【補正対象項目名】図面の簡単な説明
【補正方法】変更
【補正の内容】
【図面の簡単な説明】
【図１】
本発明の一実施の形態に係る検査装置のシステムブロック図である。
【図２】
本発明の一実施の形態に係る検査用端末機のブロック図である。
【図３】
本発明の一実施の形態に係る管理機のブロック図である。
【図４】
本発明の一実施の形態に係る検査用端末機の動作の流れを表すフロー図である。
【図５】
本発明の一実施の形態に係る管理機の動作の流れを表すフロー図である。
【図６】
本発明の一実施の形態に係る他の検査装置の基本ブロック図である。
【符号の説明】
１０…遊技機
１０ａ…遊技機島
１１…制御基板
１２…ＲＯＭ
２０…検査用端末機
２１…ＣＰＵ
２２、２３…管理機情報記憶手段
２４…遊技機情報記憶手段
２６…比較結果出力手段
２７…電源遮断手段
２８…通信監視手段
２９…通信インターフェイス
３０…通信インターフェイス
４０…管理機
４２、４３、４４…メモリ
４５…プログラム入力手段（入力手段）
４６…データ入力手段（入力手段）
４７…比較結果出力手段
４８…比較結果送信手段
４９…通信インターフェイス
５１…表示装置
１００…管理コンピュータ
２００…報知機